(57)【要約】【課題】  プリント基板に横向きに実装するタイプのスイッチおよびスイッチを基板に密着させるための保持部材の実装不良を検出する。【解決手段】  スイッチの保持部材に導電性部材を用いて、プリント基板上の保持部材が挿入されるランド部分に電力供給パターンもしくは制御信号パターンを接続することにより、保持部材がプリント基板に正しく実装されていない場合には、プリント基板上の回路に電力の供給もしくは制御信号の伝送が行われず、回路が動作しない構成となる。このような構成とすることで特別な治具や検査工程を設けることなく、製品出荷までに行われる動作チェック工程の中でスイッチおよび保持部材の実装不良品を検出することが可能となる。【選択図】  図１
2008227281.tif 000002
【特許請求の範囲】
【請求項１】
装置内の電力供給もしくは制御信号を所定条件でオン/オフを行うスイッチ、スイッチをプリント基板に密着させて固定するための導電性の保持部材を備え、保持部材をプリント基板へ固定するために形成されたプリント基板上の複数のランド部において、プリント基板内の一部のパターンがランド部間に接続され、ランド部に実装された保持部材を介してパターンが接続されることを特徴とするプリント基板。
【請求項２】
装置内の電気回路に電力供給を行う電源回路、電源回路から電力供給を受けて所定動作を行う制御回路、装置内の電力供給もしくは制御信号を所定条件でオン/オフを行うスイッチ、スイッチをプリント基板に密着させて固定するための導電性の保持部材を備え、保持部材をプリント基板へ固定するために形成されたプリント基板上の複数のランド部において、電源回路から制御回路へ電力供給を行うための電力供給パターンがランド部間に接続され、ランド部に実装された保持部材を介して電力の供給を行うことを特徴とするプリント基板。
【請求項３】
装置内の電気回路に電力供給を行う電源回路、電源回路から電力供給を受けて制御回路の制御を行うメインＣＰＵ、電源回路から電力供給およびメインＣＰＵからの制御信号を受けて所定動作を行う制御回路、装置内の電力供給もしくは制御信号を所定条件でオン/オフを行うスイッチ、スイッチをプリント基板に密着させて固定するための導電性部の保持部材を備え、保持部材をプリント基板へ固定するために形成されたプリント基板上の複数のランド部において、メインＣＰＵから制御回路へ制御信号の伝送を行うための制御信号パターンがランド部間に接続され、ランド部に実装された保持部材を介して制御信号の伝送を行うことを特徴とするプリント基板。
【請求項４】
装置内の電気回路に電力供給を行う電源回路、電源回路から電力供給を受けて制御回路の制御を行うメインＣＰＵ、電源回路から電力供給およびメインＣＰＵからの制御信号を受けて所定動作を行う制御回路、装置内の電力供給もしくは制御信号を所定条件でオン/オフを行うスイッチ、スイッチをプリント基板に密着させて固定するための導電性部の保持部材を備え、保持部材をプリント基板へ固定するために形成されたプリント基板上の複数のランド部において、電源回路からメインＣＰＵへ電力供給を行うための電力供給パターンがランド部間に接続され、ランド部に実装された保持部材を介して電力の供給を行うことを特徴とするプリント基板。
【発明の詳細な説明】
【技術分野】
【０００１】
本発明は、プリント基板における部品実装方法に関するものである。
【背景技術】
【０００２】
装置内の所定の電力供給もしくは制御信号を所定条件でオン/オフを行うためにスイッチを用いている例としては特開２０００−１１２１９８、特開２００１−２５５７９２、特開２００２−２７８３４等に示された画像形成装置が代表的なものとして挙げられる。
【０００３】
このような画像形成装置に用いられるスイッチとして、装置内の構成によっては装置内にあるプリント基板に対して横向きに実装されるタイプのものを使用することがある。
【０００４】
図５は上記のようなスイッチを使用した場合のプリント基板への実装状態を示した斜視図である。
【０００５】
図５において、５１はプリント基板、５２はスイッチ、５３はスイッチ本体がプリント基板から浮き上がることなく、プリント基板に密着した状態で実装されるようにスイッチを固定する保持部材である。
【特許文献１】特開２０００−１１２１９８号公報
【特許文献２】特開２００１−２５５７９２号公報
【特許文献３】特開２００２−２７８３４号公報
【発明の開示】
【発明が解決しようとする課題】
【０００６】
前記のようなスイッチおよび保持部材をプリント基板上に実装する場合、スイッチおよび保持部材の形状が特殊であるため自動機を用いた実装ではなく、人手によってプリント基板上の所定位置にスイッチおよび保持部材を載せた後にフロー半田にてプリント基板に半田付けされることが多い。
【０００７】
このように人手によって部品を挿入する場合には、保持部材の付け忘れや基板への挿入が不十分となる可能性が考えられる。保持部材が正しく実装されていないと以下のような不具合が生じる可能性がある。
【０００８】
・スイッチがプリント基板から浮き上がって実装される可能性があり、スイッチが正常な位置に固定されていないために製品状態でスイッチを正常にオン/オフできない。
【０００９】
・保持部材が無いとスイッチの端子半田付け部に過度のストレスがかかる可能性があり、この状態が持続された場合、プリント基板のパターンが剥がれて断線が生じる。
【００１０】
また、これらの不具合が生じる可能性のある製品が市場に流出するのを回避するためには、スイッチおよび保持部材が正しく実装されているか検査するための特別な治具を用意したり、製品出荷までの工程内で目視検査を行う等、余分な工程が増えてしまうという弊害がある。
【課題を解決するための手段】
【００１１】
上記課題を解決するため、本発明はスイッチの保持部材に導電性部材を用いて、プリント基板上の保持部材が挿入されるランド部分に電力供給パターンもしくは制御信号パターンを接続したことを特徴とする。
【発明の効果】
【００１２】
本発明によれば、スイッチの保持部材に導電性部材を用いて、プリント基板上の保持部材が挿入されるランド部分に電力供給パターンもしくは制御信号パターンを接続、保持部材を介して電力の供給もしくは制御信号の伝送を行う。保持部材がプリント基板に正しく実装されていない場合には、プリント基板上の回路に電力の供給もしくは制御信号の伝送が行われず、回路が動作しない構成となる。このような構成とすることで特別な治具や検査工程を設けることなく、製品出荷までに行われる動作チェック工程の中でスイッチおよび保持部材の実装不良品を検出することが可能となる。
【発明を実施するための最良の形態】
【００１３】
以下、本発明を図示の実施例に基づいて詳細に説明する。
【実施例１】
【００１４】
図１は本実施例の回路ブロック図、図２は本実施例のプリント基板を示す斜視図である。
【００１５】
図１において、１１は電源回路、１２は電源回路１１から電力供給を受けて所定動作を行う制御回路、１３はスイッチをプリント基板に密着させて固定するための導電性の保持部材、１４は保持部材１３を固定するためプリント基板上に形成されたランド部、１５はランド部１４に実装された保持部材１３を介して電源回路１１から制御回路１２へ電力供給を行う電力供給パターンである。
【００１６】
図２において、２１はプリント基板、２２はプリント基板２１に対して横向きに実装する形状のスイッチ、２３はスイッチ２２をプリント基板２１に密着させて固定するための保持部材、２４は保持部材２３を固定するためプリント基板２１上に形成されたランド部、２５はランド部２４に接続され電源回路から制御回路に電力供給を行うために形成された電力供給パターンである。
【００１７】
図１の回路接続構成では、制御回路１２は電源回路１１からの電力供給を受けて所定動作を行う。その際の制御回路１２への電力供給はプリント基板１１上の電力供給パターン１５を介して行われる。また電力供給パターン１５の途中には保持部材１３を固定するためのランド部１４が接続されている。このため保持部材１３が正常にランド部１４に挿入、固定されていない場合には、電源回路１１から制御回路１２への電力供給は行われないため、制御回路１２の所定動作が行われない構成となる。
【００１８】
以上に説明したプリント基板構成および回路接続構成によれば、特別な治具や検査工程を設けることなく、製品出荷までに行われる動作チェック工程の中で保持部材１３が正常に実装されていないことを検出することができるので、保持部材１３が正常に実装されていないことによって発生する不具合を回避することが可能となる。
【００１９】
なお、本実施例に記載したプリント基板構成および回路接続構成は、本発明の一例を示すものであり、この限りではない。
【実施例２】
【００２０】
図３は本実施例の回路ブロック図である。
【００２１】
図３において、３１は電源回路、３２は電源回路３１から電力供給を受けて各制御回路の制御を行うメインＣＰＵ、３３は電源回路３１からの電力供給およびメインＣＰＵ３２からの制御信号を受けて所定動作を行う制御回路、３４は前記実施例１と同様の保持部材、３５は保持部材３４を固定するためプリント基板上に形成されたランド部、３６はランド部３５に実装された保持部材３４を介してメインＣＰＵ３２から制御回路３３へ制御信号を伝送する制御信号パターンである。
【００２２】
前記実施例１の回路接続構成においては、制御回路３３の消費電力が非常に大きな場合には、保持部材３４の供給可能電流を超えてしまい保持部材３４を介して電力供給することができないという問題が考えられる。
【００２３】
上記問題に対して、図３の回路接続構成では、制御回路３３は電源回路３１からの電力供給およびメインＣＰＵ３２からの制御信号を受けることで所定動作を行う。その際のメインＣＰＵ３２から制御回路３３への制御信号の伝送はプリント基板１１上の制御信号パターン３６を介して行われる。また制御信号パターン３６の途中には保持部材３４を固定するためのランド部３５が接続されている。このため保持部材３４が正常にランド部３５に挿入、固定されていない場合には、メインＣＰＵ３２から制御回路３３への制御信号の伝送は行われないため、制御回路３３の所定動作が行われない構成となる。
【００２４】
以上に説明した回路接続構成によれば、実施例１と同様の効果を得ることが可能となる。
【００２５】
なお、本実施例に記載した回路接続構成は、本発明の一例を示すものであり、この限りではない。
【実施例３】
【００２６】
図４は本実施例の回路ブロック図である。
【００２７】
図４において、４１は電源回路、４２は電源回路４１から電力供給を受けて各制御回路の制御を行うメインＣＰＵ、４３は電源回路４１からの電力供給およびメインＣＰＵ４２からの制御信号を受けて所定動作を行う制御回路、４４は前記実施例１と同様の保持部材、４５は保持部材４４を固定するためプリント基板上に形成されたランド部、４６はランド部４５に実装された保持部材４４を介して電源回路４１からメインＣＰＵ４２へ電力供給を行う電力供給パターンである。
【００２８】
前記実施例１と同様の回路接続構成においては、制御回路４３の消費電力が非常に大きな場合には、保持部材４４の供給可能電流を超えてしまい保持部材４４を介して電力供給することができないという問題が考えられる。また製品の構成によっては前記実施例１および実施例２のように製品内の一部の制御回路のみを動作させないような構成をとることができない場合も考えられる。
【００２９】
上記問題に対して、図４の回路接続構成では、制御回路４３は電源回路４１からの電力供給およびメインＣＰＵ４２からの制御信号を受けて所定動作を行う。またメインＣＰＵ４２は電源回路４１からの電力供給を受けて動作を行う。その際のメインＣＰＵ４２への電力供給はプリント基板１１上の電力供給パターン４６を介して行われる。また電力供給パターン４６の途中には保持部材４４を固定するためのランド部４５が接続されている。このため保持部材４４が正常にランド部４５に挿入、固定されていない場合には、電源回路４１からメインＣＰＵ４２への電力供給は行われずメインＣＰＵ４２は動作しないので、メインＣＰＵ４２により制御されている全ての制御回路４３の所定動作が行われない構成となる。
【００３０】
以上に説明した回路構成によれば、実施例１と同様の効果を得ることが可能となる。
【００３１】
なお、本実施例に記載した回路接続構成は、本発明の一例を示すものであり、この限りではない。
【図面の簡単な説明】
【００３２】
【図１】実施例１の回路ブロック図
【図２】実施例１のプリント基板を示す斜視図
【図３】実施例２の回路ブロック図
【図４】実施例３の回路ブロック図
【図５】従来のスイッチをプリント基板へ実装した状態を示す図
【符号の説明】
【００３３】
１１  電源回路
１２  制御回路
１３  保持部材
１４  プリント基板ランド部
１５  電力供給パターン
２１  プリント基板
２２  スイッチ
２３  保持部材
２４  プリント基板ランド部
２５  電力供給パターン
３１  電源回路
３２  メインＣＰＵ
３３  制御回路
３４  保持部材
３５  プリント基板ランド部
３６  制御信号パターン
４１  電源回路
４２  メインＣＰＵ
４３  制御回路
４４  保持部材
４５  プリント基板ランド部
４６  電力供給パターン
５１  プリント基板
５２  スイッチ
５３  保持部材
【図１】
2008227281.tif 000003
【図２】
2008227281.tif 000004
【図３】
2008227281.tif 000005
【図４】
2008227281.tif 000006
【図５】
2008227281.tif 000007